(57)【要約】【課題】ファンを有する送風機の騒音を小さくする。【解決手段】  回転中心線Ｃを中心にして回転するボス２０と、該ボス２０の外周面に設けられた複数の翼３０とを有し、回転中心線Ｃ方向に送風するファン１０であって、ファン１０の各翼３０が、回転中心線Ｃから所定の径方向距離までの中心側領域内において、翼３０の形状を定義する無数の翼素それぞれの最大反り位置を結ぶ線ＲＬが、回転中心線Ｃ方向から見て、前縁３１側と後縁３２側とに交互に突出しながら回転中心線Ｃ側から外周端３４側に向かって延びる波状の線になるように、形成されている。【選択図】図１
2010275986.tif 000002
【特許請求の範囲】
【請求項１】
回転中心線を中心にして回転するボスと、該ボスの外周面に設けられた複数の翼とを有し、回転中心線方向に送風するファンであって、
ファンの各翼は、回転中心線から所定の径方向距離までの中心側領域内において、翼の形状を定義する無数の翼素それぞれの最大反り位置を結ぶ線が、回転中心線方向から見て、前縁側と後縁側とに交互に突出しながら回転中心線側から外周側に向かって延びる波状の線になるように、形成されていることを特徴とするファン。
【請求項２】
上記最大反り位置を結ぶ線の前縁側に突出している部分と径方向位置が同一の前縁の部分が送風方向上流側に凸に湾曲し、
上記最大反り位置を結ぶ線の後縁側に突出している部分と径方向位置が同一の前縁の部分が送風方向下流側に凸に湾曲していることを特徴とする請求項１に記載のファン。
【請求項３】
上記最大反り位置を結ぶ線の前縁側に突出している部分とファンの径方向位置が同一の後縁の部分が送風方向下流側に凸に湾曲し、
上記最大反り位置を結ぶ線の後縁側に突出している部分と径方向位置が同一の後縁の部分が送風方向上流側に凸に湾曲していることを特徴とする請求項１または２に記載のファン。
【請求項４】
請求項１から３のいずれか一項に記載のファンを有する軸流送風機。
【発明の詳細な説明】
【技術分野】
【０００１】
本発明は、ファンおよび該ファンを有する軸流送風機に関する。
【背景技術】
【０００２】
従来より、ファンの翼の形状を改良して騒音を小さくした軸流送風機が知られている。例えば、特許文献１に記載されているファンの翼は、翼の形状を定義する無数の翼素それぞれの最大反り位置が、回転中心から遠い翼素ほど、回転中心に近い翼素に比べて後縁側に位置するように形成されている。これにより、軸流送風機の騒音が小さくされている。
【先行技術文献】
【特許文献】
【０００３】
【特許文献１】特開２００１−２２７４９８号公報
【発明の概要】
【発明が解決しようとする課題】
【０００４】
しかしながら、上述の特許文献１に記載のファンの翼は、各翼素の最大反り位置が、回転中心から遠い翼素ほど、回転中心に近い翼素に比べて後縁側に位置するように形成されている。言い換えると、各翼素の最大反り位置を結ぶ線が、回転中心線方向から見て概ね直線（緩やかな曲線）である。そのため、最大反り位置から後縁側に発達する境界層内に発生する複数の渦において、ファンの径方向に隣接し合う渦が略同一サイズの渦および／または同一回転方向の渦になりやすい。隣接し合う渦が略同一サイズの渦および／または同一回転方向の渦になると、これらの渦が合体して大きなサイズの渦になることがある。この大きなサイズの渦は、騒音を増大させる原因になる。
【０００５】
そこで、本発明は、ファンの翼の最大反り位置から後縁側に発達する境界層内に大きなサイズの渦が発生することを抑制し、それによりファンを有する軸流送風機の騒音を小さくすることを課題とする。
【課題を解決するための手段】
【０００６】
上述の課題を達成するために、本発明は、回転中心線を中心にして回転するボスと、該ボスの外周面に設けられた複数の翼とを有し、回転中心線方向に送風するファンであって、
ファンの各翼は、回転中心線から所定の径方向距離までの中心側領域内において、翼の形状を定義する無数の翼素それぞれの最大反り位置を結ぶ線が、回転中心線方向から見て、前縁側と後縁側とに交互に突出しながら回転中心線側から外周側に向かって延びる波状の線になるように、形成されていることを特徴とする。
【０００７】
また、別の態様の本発明は、上記ファンを有する軸流送風機であることを特徴とする。
【発明の効果】
【０００８】
本発明によれば、ファンの翼の最大反り位置から後縁側に発達する境界層内において、大きな渦の発生が抑制される。その結果、このファンを有する軸流送風機の騒音が小さくされる。
【図面の簡単な説明】
【０００９】
【図１】第１の実施形態に係るファンの回転中心線方向視の図である。
【図２】図１のファンの斜視図である。
【図３】図１のファンのＡ−Ａ断面図である。
【図４】図１のファンのＢ−Ｂ断面図である。
【図５】図３に示す断面における境界層と、図４に示す断面における境界層との違いを示す図である。
【図６】第１の実施形態に係るファンによる効果を示す図である。
【図７】第２の実施形態に係るファンの回転中心線方向視の図である。
【図８】図７のＤ−Ｄ断面図である。
【図９】図７のＥ−Ｅ断面図である。
【図１０】第３の実施形態に係るファンによる効果を示す図である。
【図１１】第４の実施形態に係るファンの回転中心線方向視の図である。
【図１２】第４の実施形態に係るファンによる効果を示す図である。
【図１３】第５の実施形態に係るファンの回転中心線方向視、前縁正面視、および後縁正面視を示す図である。
【図１４】第６の実施形態に係るファンの回転中心線方向視、前縁正面視、および後縁正面視を示す図である。
【図１５】第７の実施形態に係るファンの回転中心線方向視、前縁正面視、および後縁正面視を示す図である。
【発明を実施するための形態】
【００１０】
（第１の実施形態）
図１は、本発明の第１の実施形態に係るファンを回転中心線方向（送風方向上流側）から見た図であって、図２は該ファンの斜視図である。
【００１１】
図１や図２において符号１０に示されているファンは、軸流送風機の動力源、例えばモータ（図示せず）によって回転中心線Ｃを中心として回転される。そして、回転中心線Ｃ方向に送風する。
【００１２】
このファン１０は、動力源に取り付けられて回転中心線Ｃを中心として回転する円筒形状のボス２０と、該ボス２０の外周面に設けられた複数の翼（本実施形態においては３枚の翼）３０とを有する。
【００１３】
翼３０は、前縁３１、後縁３２、内周端３３、および外周端３４を備えた形状に形成されている。また、翼３０は、図２に示すように、前縁３１が後縁３２に比べて上流側に位置し、前縁３１と後縁３２との間の部分が上流側に凸に反った形状に形成されている。
【００１４】
さらに、翼３０は、翼の詳細形状を定義する無数の各翼素（ｂｌａｄｅ  ｅｌｅｍｅｎｔ）の最大反り位置を結ぶ線ＲＬが、回転中心線Ｃ方向から見て、前縁３１側と後縁３２側とに交互に突出しながら回転中心線Ｃ側から外周側に向かって延びる波状の線になるように形成されている。
【００１５】
ここで言う「翼素」は、１つの翼に無数個あって、径方向厚さが実質的にゼロで、径方向に並んで翼の詳細形状を定義する形体を言い、任意の径方向位置の翼素の形状は、回転中心線Ｃから該任意の径方向位置までを半径とする円筒の外周面に投影される翼の断面形状に対応する。
【００１６】
また、ここで言う「波状の線」は、回転中心線Ｃ側から外周側に向かって延びるにあたり、前縁３１側または後縁３２側のいずれか一方側に向かった後に他方側に向かう部分を少なくとも１つ含む線を言う。
【００１７】
このように、最大反り位置を結ぶ線ＲＬが、回転中心線Ｃ方向から見て、前縁３１側と後縁３２側とに交互に突出しながら回転中心線Ｃ側から外周側に向かって延びる波状の線になるように、翼３０を形成する理由を説明する。
【００１８】
例として、図１に示す、線ＲＬの前縁３１側に突出する部分に対応する径方向位置Ａにおける翼断面（翼素形状）を図３に示す。また、この径方向位置Ａと隣接し、線ＲＬの後縁３２側に突出する部分に対応する径方向位置Ｂにおける翼断面（翼素形状）を図４に示す。なお、図３，４は、実際の翼断面を平面に投影したときの形状を示している。
【００１９】
図３に示すように、径方向位置Ａにおける翼断面の最大反り位置（線ＲＬ）は、図４に示す径方向位置Ｂにおける翼断面の最大反り位置に比べて前縁３１側に位置している。言い換えると、径方向位置Ａにおける翼断面の最大反り位置は、前縁３１と後縁３２とを結ぶ翼弦線（ｃｈｏｒｄ  ｌｉｎｅ）ＣＬの長さＬＡに対する前縁３１から最大反り位置までの距離Ｌ０Ａ（翼弦線ＣＬと平行な方向の距離）との比、すなわちＬ０Ａ／ＬＡが、径方向位置Ｂにおける翼断面のＬ０Ｂ／ＬＢに比べて小さくなる位置に存在する。
【００２０】
これにより、図５に示すように、径方向位置Ａの翼３０の部分と位置Ｂの翼３０の部分とに発生する境界層（ｂｏｕｎｄａｒｙ  ｌａｙｅｒ）ＢＬが異なる。径方向位置Ａの翼３０の部分に発生する境界層ＢＬＡは、図３に示すように最大反り位置（線ＲＬ）が前縁３１側に位置するので、前縁３１近傍から後縁３２に向かって広い範囲に発生している。一方、径方向位置Ｂの翼３０の部分に発生する境界層ＢＬＢは、図４に示すように最大反り位置（線ＲＬ）が後縁３２側に位置するので、前縁３１から離れた翼３０の概ね中央から後縁３２に向かって狭い範囲に発生している。
【００２１】
そのため、径方向に隣接し合う、境界層ＢＬＡの部分と境界層ＢＬＢの部分とは、その厚さが異なる。また、そのため、境界層ＢＬＡ内に発生している渦ＶＡと、これと径方向に隣接する境界層ＢＬＢ内の渦ＶＢは、そのサイズが異なり、場合によっては回転方向も異なる。径方向に隣接し合う渦の回転方向やサイズが異なると、互いに相手の勢い（サイズ）が増大するのを抑制するので、合体して大きなサイズの渦が発生し難くなる（すなわち、合体せず、そのまま維持される。）。
【００２２】
しかしながら、最大反り位置を結ぶ線ＲＬが、全体に亘って波状の線であってはならない。具体的には、図１に示すように、回転中心線Ｃから径方向距離ｒまでの領域（一点鎖線内の領域であって、請求の範囲に記載の「所定の中心側領域」に対応。）の内部に位置する線ＲＬの部分が波状の線であって、その外部に位置する線ＲＬの部分が、概ね直線、例えば各翼素の翼弦線ＣＬの中心位置を結んだ線ＣＬＣに略一致するように、翼３０は形成されている。そして、径方向距離ｒは、ファン１０の半径Ｒの８０％より小さい値にされている。
【００２３】
その領域内では最大反り位置を結ぶ線ＲＬが波状の線とされる中心側領域を定義する径方向距離ｒがファンの径Ｒの８０％より小さい値であるという条件は、発明者が実験によって見出した条件である。この条件を導き出した、発明者が実施した実験の結果を、図６に示す。図６には、ｒ／Ｒを横軸とし、基準化騒音値を縦軸とするグラフが示されている。「基準化騒音値」は、ｄＢ値であって、上述したような各翼素の最大反り位置が回転中心から離れるほど後縁側に位置するような従来のファンの騒音値を０ｄＢ（基準値）としたときの、本発明に係るファンの騒音値である。
【００２４】
図６に示すように、ｒ／Ｒが０から０．８までの範囲では、基準化騒音値は０より小さくなる。一方、ｒ／Ｒが０．８より大きくなると、基準化騒音値は、０より大きくなる。
【００２５】
この実験結果から、その領域内では最大反り位置を結ぶ線ＲＬが波状の線とされる中心側領域を定義する径方向距離ｒがファン１０の径Ｒの８０％より小さいときに、ファン１０の騒音が小さくなることがわかる。
【００２６】
以上説明してきた本実施形態によれば、ファン１０の翼３０の最大反り位置から後縁側に発達する境界層内において、ファン１０の径方向に隣接し合う渦が略同一サイズの渦および／または同一回転方向の渦になることが抑制される、すなわち大きな渦の発生が抑制される。その結果、このファン１０を有する軸流送風機の騒音が小さくされる。
【００２７】
（第２の実施形態）
第２の実施形態は、概ね第１の実施形態と同じであるが、各翼素の最大反り位置を結ぶ線ＲＬの位置が異なる。この異なる点と、それによる効果とを説明する。
【００２８】
図７は、第２の実施形態に係るファン１１０を、回転中心線方向（送風方向上流側）から見た図である。
【００２９】
図７に示すように、ファン１１０の翼１３０は、各翼素の最大反り位置を結ぶ線ＲＬが、各翼素の翼弦線ＣＬの中心位置を結んだ線ＣＬＣより前縁１３１側に位置するように、形成されている（第１の実施形態では、図１に示すように、線ＲＬは、線ＣＬＣ上に位置している。）。
【００３０】
最大反り位置が第１の実施形態に比べて前縁１３１側に位置するため、翼１３０の後縁１３２側は第１の実施形態の翼３０の後縁３１側に比べて平坦に近くなる（曲率が小さくなる）。そのため、最大反り位置から後縁１３２側に発生する境界層の厚さは、第１の実施形態に比べて小さくなる。そして、境界層内に発生する渦のサイズも小さくなる。
【００３１】
以上説明してきた本実施形態によれば、大きなサイズの渦の発生が、第１の実施形態に比べて、より抑制される。その結果、第２の実施形態に係るファン１１０を有する軸流送風機は、第１の実施形態に係るファン１０を有するものに比べて、騒音がより小さくされる。
【００３２】
（第３の実施形態）
第３の実施形態は、第１および第２の実施形態のファンの改良形態であって、該ファンを有する軸流送風機の騒音をより小さくするものである。ここでは、第２の実施形態のファンを一例として参照しながら第３の実施形態の特徴とその効果を説明する。
【００３３】
例として、図７に示す最大反り位置が前縁１３１側の径方向位置Ｄにおける翼断面を図８に、位置Ｄと隣接し、最大反り位置が後縁１３２側の径方向位置Ｅにおける翼断面を図９に示す。
【００３４】
図８に示すように、径方向位置Ｄにおける翼断面の最大反り位置（線ＲＬ）は、図９に示す径方向位置Ｅにおける翼断面の最大反り位置に比べて前縁１３１側に位置している。言い換えると、径方向位置Ｄにおける翼断面の最大反り位置は、前縁１３１と後縁１３２とを結ぶ翼弦線ＣＬの長さＬＤに対する前縁１３１から最大反り位置までの距離Ｌ０Ｄとの比、すなわちＬ０Ｄ／ＬＤ（＝α）が、径方向位置ＥにおけるＬ０Ｅ／ＬＥ（＝β）に比べて小さくなる位置に存在している。
【００３５】
それに加えて、Ｌ０Ｅ／ＬＥ−Ｌ０Ｄ／ＬＤ（すなわちβ−α）が、０．１５より小さくなるように翼１３０は形成されている。
【００３６】
このように、後縁１３２側に突出する線ＲＬの部分における翼弦線ＣＬの長さに対する前縁１３１から最大反り位置までの距離との比βと、隣接する前縁１３１側に突出する線ＲＬの部分における翼弦線ＣＬの長さに対する前縁１３１から最大反り位置までの距離との比αとの差を０．１５より小さくする条件は、発明者が実験によって見出した条件である。この条件を導き出した、発明者が実施した実験の結果を、図１０に示す。図１０には、β−αを横軸とし、基準化騒音値を縦軸としたグラフが示されている。「基準化騒音値」は、図６に示す基準化騒音値と同一である。
【００３７】
図１０に示すように、β−αが０．１５より小さい範囲では、基準化騒音値は０から離れた０より小さい値になる。一方、β−αが０．１５より大きくなると、基準化騒音値は、略０になる。
【００３８】
これは、β−αが０．１５より小さい範囲では、前縁１３１側に突出する線ＲＬの部分に発生する境界層内の渦と、該渦と径方向に隣接する、後縁１３２側に突出する線ＲＬの部分に発生する境界層内の渦とのサイズの差が、互いに相手の勢い（サイズ）が増大するのを抑制でき、合体せずにそのまま維持できる適当な差になるためである。
【００３９】
この実験結果から、後縁１３２側に突出する線ＲＬの部分における翼弦線ＣＬの長さに対する前縁１３１から最大反り位置までの距離との比βと、隣接する前縁１３１側に突出する線ＲＬの部分における翼弦線ＣＬの長さに対する前縁１３１から最大反り位置までの距離との比αとの差が０．１５より小さくなるように、翼を形成すれば、ファン１０の騒音がより小さくなることがわかる。
【００４０】
以上説明してきた本実施形態によれば、ファンを有する軸流送風機の騒音がより小さくされる。
【００４１】
（第４の実施形態）
第４の実施形態は、第１から第３の実施形態のファンの改良形態であって、該ファンを有する軸流送風機の騒音をより小さくするものである。ここでは、第２の実施形態のファンを一例として参照しながら第４の実施形態の特徴とその効果を説明する。
【００４２】
図１１に示すように、第４の実施形態に係るファン１１０の翼１３０は、各翼素の最大反り位置を結ぶ線ＲＬの後縁１３２側に突出する部分と、前縁１３１側に突出する部分を挟んで径方向に隣接する、別の後縁１３２側に突出する部分との径方向の間隔（ピッチ）ｔが、翼１３０の径方向寸法Ｔ（ファン１０の径からボス２０の径を引いた寸法）に対する該間隔ｔとの比が０．１より小さくなるように形成されている。なお、同様に、複数の前縁１３１側に突出する部分も、同じ間隔ｔをあけて配置されている。
【００４３】
このように、線ＲＬの複数の後縁１３２側に突出する部分（または複数の前縁１３１側に突出する部分）の径方向の配置間隔ｔを、翼１３０の径方向寸法Ｔに対する該間隔ｔとの比が０．１より小さくなるようにするという条件は、発明者が実験によって見出した条件である。この条件を導き出した、発明者が実施した実験の結果を、図１２に示す。図１２には、ｔ／Ｔを横軸とし、基準化騒音値を縦軸としたグラフが示されている。「基準化騒音値」は、図６や図１０に示す基準化騒音値と同一である。
【００４４】
図１２に示すように、ｔ／Ｔが０．１より小さい範囲では、基準化騒音値は０から離れた０より小さい値になる。一方、ｔ／Ｔが０．１より大きくなると、基準化騒音値は、略０になる。
【００４５】
これは、ｔ／Ｔが０．１より小さい範囲では、線ＲＬの前縁１３１側に突出する部分に発生する境界層内の渦と、該渦と径方向に隣接する、後縁１３２側に突出する線ＲＬの部分に発生する境界層内の渦との間の距離が、互いに相手の勢い（すなわちサイズ）が増大するのを抑制でき、合体せずにそのまま維持できる適当な距離になるためである。
【００４６】
この実験結果から、線ＲＬの複数の後縁１３２側に突出する部分（または複数の前縁１３１側に突出する部分）の径方向の配置間隔ｔが、翼１３０の径方向寸法Ｔに対する該間隔ｔとの比が０．１より小さくなるように、翼１３０を形成すれば、ファン１０の騒音がより小さくなることがわかる。
【００４７】
以上説明してきた本実施形態によれば、ファンを有する軸流送風機の騒音がより小さくされる。
【００４８】
（第５の実施形態）
第５の実施形態は、第１から第４の実施形態のファンを改良したものであって、該ファンを有する軸流送風機の騒音がより小さくなるものである。
【００４９】
図１３は、第５の実施形態に係るファンを示す図であって、回転中心線方向（送風方向上流側）から見た様子と、前縁正面から見た様子と、および後縁正面から見た様子とを示している。
【００５０】
図１３に示すように、ファン２１０の複数の翼２３０それぞれは、各翼素の最大反り位置を結ぶ線ＲＬの前縁２３１側に突出している部分と径方向位置が同一の前縁２３１の部分が送風方向（気流）の上流側に凸に湾曲し、該線ＲＬの後縁２３２側に突出している部分と径方向位置が同一の前縁２３１の部分が気流の下流側に凸に（上流側に凹に）湾曲するような形状にされている。すなわち、前縁２３１は、図１３に示すように、正面から見れば波形状になるように形成されている。
【００５１】
線ＲＬの前縁２３１側に突出する部分と同一径方向位置の翼２３０の前縁２３１の部分が気流の上流側に凸に湾曲しているため、この径方向位置での翼２３０の反りが小さくされる。その結果、この径方向位置に発生する境界層の厚さが小さくなり、その内部に発生する渦のサイズも小さくなる。
【００５２】
具体的に説明すると、上述したようにまたは例えば図３や図４に示すように、前縁と後縁との間の翼部分が上流側に凸に反っているので、最大反り位置が前縁側にある径方向位置の前縁部分が下流側に凸に湾曲していると、上流側に凸に湾曲している場合に比べて、この径方向位置での反りが大きくなる。その結果、境界層の厚さが大きくなり、好ましくない大きなサイズの渦が発生してしまう。
【００５３】
また、前縁２３１が上流側に凸に湾曲する部分と下流側に凸に湾曲する部分とが交互に配置された波形状であるので、前縁２３１に気流が流入する際に発生する、上流側に凸に湾曲する前縁２３１の部分に発生する剥離渦と下流側に凸に湾曲する前縁２３１の部分に発生する剥離渦とが径方向に隣接しない。これにより、隣接し合う剥離渦が合体して大きなサイズの剥離渦が発生することを抑制し、大きなサイズの剥離渦を原因とする騒音の増大を抑制している。
【００５４】
以上説明してきた本実施形態によれば、ファンを有する軸流送風機の騒音がより小さくされる。
【００５５】
（第６の実施形態）
第６の実施形態は、第１から第４の実施形態のファンを改良したものであって、該ファンを有する軸流送風機の騒音がより小さくなるものである。
【００５６】
図１４は、第６の実施形態に係るファンを示す図であって、回転中心線方向（送風方向上流側）から見た様子と、前縁正面から見た様子と、および後縁正面から見た様子とを示している。
【００５７】
図１４に示すように、ファン３１０の複数の翼３３０それぞれは、各翼素の最大反り位置を結ぶ線ＲＬの前縁３３１側に突出している部分と径方向位置が同一の後縁３３２の部分が送風方向（気流）の下流側に凸に（上流側に凹に）湾曲し、該線ＲＬの後縁３３２側に突出している部分と径方向位置が同一の後縁３３２の部分が気流の上流側に凸に湾曲するような形状にされている。すなわち、後縁３３２は、図１４に示すように、正面から見れば波形状になるように形成されている。
【００５８】
線ＲＬの後縁３３２側に突出する部分と同一径方向位置の翼３３０の後縁３３２の部分が気流の上流側に凸に湾曲しているため、この径方向位置での翼３３０の反りが小さくされる。その結果、この径方向位置に発生する境界層の厚さが小さくなり、その内部に発生する渦のサイズも小さくなる。
【００５９】
具体的に説明すると、上述したようにまたは例えば図３や図４に示すように、前縁と後縁との間の翼部分が上流側に凸に反っているので、最大反り位置が後縁側にある径方向位置の後縁部分が下流側に凸に湾曲していると、上流側に凸に湾曲している場合に比べて、この径方向位置での反りが大きくなる。その結果、境界層の厚さが大きくなり、好ましくない大きなサイズの渦が発生してしまう。
【００６０】
また、後縁３３２が上流側に凸に湾曲する部分と下流側に凸に湾曲する部分とが交互に配置された波形状であるので、後縁３３２近傍において、上流側に凸に湾曲する後縁３３２の部分に発生する渦と下流側に凸に湾曲する後縁３３２の部分に発生する渦とが径方向に隣接しない。これにより、後縁３３２近傍において、隣接し合う渦が合体して大きなサイズの渦が発生することを抑制し、大きなサイズの渦を原因とする騒音の増大を抑制している。
【００６１】
以上説明してきた本実施形態によれば、ファンを有する軸流送風機の騒音がより小さくされる。
【００６２】
（第７の実施形態）
第７の実施形態は、第１から第４の実施形態のファンを改良したものであって、具体的には第５の実施形態と第６の実施形態を組みあわせたものである。
【００６３】
図１５は、第７の実施形態に係るファンを示す図であって、回転中心線方向（送風方向上流側）から見た様子と、前縁正面から見た様子と、および後縁正面から見た様子とを示している。
【００６４】
図１５に示すように、ファン４１０の複数の翼４３０それぞれは、各翼素の最大反り位置を結ぶ線ＲＬの前縁４３１側に突出している部分と径方向位置が同一の前縁４３１の部分が送風方向（気流）の上流側に凸に湾曲し、該線ＲＬの後縁４３２側に突出している部分と径方向位置が同一の前縁４３１の部分が気流の下流側に凸に（上流側に凹に）湾曲するような形状にされている。すなわち、前縁４３１は、図１５に示すように、正面から見れば波形状になるように形成されている。
【００６５】
また、ファン４１０の複数の翼４３０それぞれは、各翼素の最大反り位置を結ぶ線ＲＬの前縁４３１側に突出している部分と径方向位置が同一の後縁４３２の部分が送風方向（気流）の下流側に凸に（上流側に凹に）に湾曲し、該線ＲＬの後縁４３２側に突出している部分と径方向位置が同一の後縁４３２の部分が気流の上流側に凸に湾曲するような形状にされている。すなわち、後縁４３２は、図１５に示すように、正面から見れば波形状になるように形成されている。
【００６６】
線ＲＬの前縁４３１側に突出する部分と同一径方向位置の翼４３０の前縁４３１の部分が気流の上流側に凸に湾曲しているため、この径方向位置での翼４３０の反りが小さくされる。その結果、この径方向位置に発生する境界層の厚さが小さくなり、その内部に発生する渦のサイズも小さくなる。
【００６７】
また、線ＲＬの後縁４３２側に突出する部分と同一径方向位置の翼４３０の後縁４３２の部分が気流の上流側に凸に湾曲しているため、この径方向位置での翼４３０の反りが小さくされる。その結果、この径方向位置に発生する境界層の厚さが小さくなり、その内部に発生する渦のサイズも小さくなる。
【００６８】
さらに、前縁４３１が上流側に凸に湾曲する部分と下流側に凸に湾曲する部分とが交互に配置された波形状であるので、前縁４３１に気流が流入する際に発生する、上流側に凸に湾曲する前縁４３１の部分に発生する剥離渦と下流側に凸に湾曲する前縁４３１の部分に発生する剥離渦とが径方向に隣接しない。これにより、隣接し合う剥離渦が合体して大きなサイズの剥離渦が発生することを抑制し、大きなサイズの剥離渦を原因とする騒音の増大を抑制している。
【００６９】
さらにまた、後縁４３２が上流側に凸に湾曲する部分と下流側に凸に湾曲する部分とが交互に配置された波形状であるので、後縁４３２近傍において、上流側に凸に湾曲する後縁４３２の部分に発生する渦と下流側に凸に湾曲する後縁４３２の部分に発生する渦とが径方向に隣接しない。これにより、後縁４３２近傍において、隣接し合う渦が合体して大きなサイズの渦が発生することを抑制し、大きなサイズの渦を原因とする騒音の増大を抑制している。
【００７０】
以上説明してきた本実施形態によれば、ファンを有する軸流送風機の騒音がより小さくされる。
【符号の説明】
【００７１】
１０，１１０，２１０，３１０，４１０  ファン、  ２０，１２０，２２０，３２０，４２０  ボス、  ３０，１３０，２３０，３３０，４３０  翼、  ３１，１３１，２３１，３３１，４３１  前縁、  ３２，１３２，２３２，３３２，４３２  後縁、  ３３，１３３  内周端、  ３４，１３４  外周端、  ＲＬ  最大反り位置を結ぶ線、  ＣＬ  翼弦線、  ＣＬＣ  翼弦線の中点を結ぶ線
【図１】
2010275986.tif 000003
【図２】
2010275986.tif 000004
【図３】
2010275986.tif 000005
【図４】
2010275986.tif 000006
【図５】
2010275986.tif 000007
【図６】
2010275986.tif 000008
【図７】
2010275986.tif 000009
【図８】
2010275986.tif 000010
【図９】
2010275986.tif 000011
【図１０】
2010275986.tif 000012
【図１１】
2010275986.tif 000013
【図１２】
2010275986.tif 000014
【図１３】
2010275986.tif 000015
【図１４】
2010275986.tif 000016
【図１５】
2010275986.tif 000017